(57)【要約】【課題】放送番組の視聴の際の利便性を高めることが可能となるとともに放送番組の視聴の動向を知ることができる移動通信端末および選局情報送信装置を提供する。【解決手段】本発明の移動通信端末１０は、選局情報送信装置２０に対する当該移動通信端末１０の位置情報の送信を要求する位置情報要求部１０１と、位置情報に基づいて選局情報送信装置２０において生成された移動通信端末１０において受信可能な放送局に関する選局情報を受信する選局情報受信部１０３と、選局情報受信部１０３によって受信された選局情報に基づいて移動通信端末１０において受信する放送局を選択入力する受信局情報入力部１０４と、移動通信端末１０において受信された放送局の受信履歴を特定するための視聴情報を選局情報送信装置２０に対して送信する視聴情報送信部１０６とを備えたことを特徴としている。【選択図】  図１
2004266627.tif 000002
【特許請求の範囲】
【請求項１】
放送番組を受信する機能を有する移動通信端末において、
選局情報送信装置に対する当該移動通信端末の位置情報の送信を要求する位置情報要求手段と、
前記位置情報要求手段により要求されることにより送信された前記位置情報に基づいて前記選局情報送信装置において生成された前記移動通信端末において受信可能な放送局に関する選局情報を、前記選局情報送信装置から受信する選局情報受信手段と、
前記選局情報受信手段によって受信された前記選局情報に基づいて前記移動通信端末において受信する放送局を選択入力する受信局情報入力手段と、
前記受信局情報入力手段によって選択入力されることにより前記移動通信端末において受信された放送局の受信履歴を特定するための視聴情報を、前記選局情報送信装置に対して送信する視聴情報送信手段とを備えたことを特徴とする移動通信端末。
【請求項２】
移動通信端末の位置情報を受信する位置情報受信手段と、
前記位置情報受信手段によって受信された位置情報に基づいて前記移動通信端末において受信可能な放送局に関する選局情報を生成する選局情報生成手段と、前記選局情報生成手段によって生成された前記選局情報を前記移動通信端末に送信する選局情報送信手段と、
前記選局情報送信手段によって送信された前記選局情報に基づいて前記移動通信端末において選択入力されることにより受信された放送局の受信履歴を特定するための視聴情報を、前記移動通信端末から受信する視聴情報受信手段とを備えたことを特徴とする選局情報送信装置。
【発明の詳細な説明】
【０００１】
【発明の属する技術分野】
本発明は、移動通信端末および選局情報送信装置に関するものである。
【０００２】
【従来の技術】
移動通信端末の位置情報を利用して受信可能な放送局の情報を検索する技術の一例としては、移動通信端末が基地局から位置情報を受信し、予め設定された位置情報と放送局情報との対応テーブルにより放送局の周波数等の選局情報を取得するというものがある（例えば、特許文献１参照。）。
【０００３】
【特許文献１】
特開平８−１６２９０９号公報
【０００４】
【発明が解決しようとする課題】
しかし、上記従来の技術では、以下に示すような問題点があった。すなわち、位置情報に基づいてどの周波数の放送が受信可能かどうかの判断は移動通信端末毎に行われ、位置情報と周波数の対応テーブルを含む選局情報は個々の移動通信端末に登録され管理されていた。従って、移動性の高い移動通信端末においては、全ての受信エリアにおける選局情報を登録することは事実上不可能であり利便性が低下していた。
【０００５】
そこで、本発明では、移動性の高い移動通信端末においても放送番組の視聴の際の利便性を高めることができる移動通信端末および選局情報送信装置を提供することを課題とする。
【０００６】
【課題を解決するための手段】
本発明の移動通信端末は、放送番組を受信する機能を有する移動通信端末であって、選局情報送信装置に対する当該移動通信端末の位置情報を送信を要求する位置情報要求手段と、位置情報要求手段により要求されることにより送信された位置情報に基づいて選局情報送信装置において生成された移動通信端末において受信可能な放送局に関する選局情報を、選局情報送信装置から受信する選局情報受信手段と、選局情報受信手段によって受信された選局情報に基づいて移動通信端末において受信する放送局を選択入力する受信局情報入力手段と、受信局情報入力手段によって選択入力されることにより移動通信端末において受信された放送局の受信履歴を特定するための視聴情報を、選局情報送信装置に対して送信する視聴情報送信手段とを備えたことを特徴としている。
【０００７】
位置情報要求手段が選局情報送信装置に対する位置情報の送信を要求し、選局情報受信手段が受信可能な放送局に関する選局情報を受信するので、移動通信端末の位置する場所において受信可能な放送局の情報を受信することができる。受信局情報入力手段が選局情報に基づいて受信する放送局を選択入力するので、移動通信端末においてその選択された放送局に関する選局情報を利用してチューニングすることにより、放送番組の視聴の際の利便性を高めることが可能となるとともに、チューニング時の消費電力の軽減を図ることが可能となる。視聴情報送信手段が選局情報送信装置に対して放送局の受信履歴を特定するための視聴情報を送信するので、選局情報送信装置において移動通信端末の受信履歴を収集し、例えば大きな移動通信端末のユーザの母集団における視聴率の計算に利用することができる。
【０００８】
本発明の選局情報送信装置は、移動通信端末の位置情報を受信する位置情報受信手段と、位置情報受信手段によって受信された位置情報に基づいて移動通信端末において受信可能な放送局に関する選局情報を生成する選局情報生成手段と、選局情報生成手段によって生成された選局情報を移動通信端末に送信する選局情報送信手段と、選局情報送信手段によって送信された選局情報に基づいて移動通信端末において選択入力されることにより受信された放送局の受信履歴を特定するための視聴情報を、移動通信端末から受信する視聴情報受信手段とを備えたことを特徴としている。
【０００９】
位置情報受信手段が移動通信端末から要求された位置情報を受信し、選局情報生成手段が位置情報に基づいて移動通信端末で受信可能な選局情報を生成し、選局情報送信手段が移動通信端末に対して選局情報を送信するので、移動通信端末のユーザが移動通信端末の所在位置において受信可能な放送局の情報を取得することができる。視聴情報受信手段が移動通信端末における放送局の受信履歴を受信するので、選局情報に基づいて移動通信端末において選択入力されることにより受信された放送局の視聴情報を収集することにより、例えば大きな移動通信端末のユーザの母集団における視聴率の計算に利用することができる。
【００１０】
【発明の実施の形態】
本発明の実施形態にかかる選局情報送信システムについて図面を参照して説明する。尚、本実施形態にかかる選局情報送信システムは、本発明の実施形態にかかる移動通信端末、選局情報送信装置を含んでいる。
【００１１】
［第１実施形態］
まず、第１実施形態にかかる選局情報送信システムの構成について説明する。
図１は、本実施形態にかかる選局情報送信システムの構成図である。本実施形態にかかる選局情報送信システム３０は、移動通信端末１０と、移動通信端末１０と移動体通信網等のネットワーク４０を通じて接続されている選局情報送信装置２０とを備えて構成される。以下、各構成要素について詳細に説明する。
【００１２】
移動通信端末１０は、情報通信と共にＴＶ番組等の放送番組の受信も可能な放送受信用チューナー付き携帯電話機であり、位置情報要求部１０１（位置情報要求手段）と、位置情報送信部１０２と、選局情報受信部１０３（選局情報受信手段）と、受信局情報入力部１０４（受信局情報入力手段）と、放送受信用チューナー部１０５と、視聴情報送信部１０６（視聴情報送信手段）と、選局情報格納部１０７と、視聴情報格納部１０８とを備えて構成される。
【００１３】
位置情報要求部１０１は位置情報送信部１０２に対して、選局情報送信装置２０に移動通信端末１０の位置情報（Ｘ０，Ｙ０）及び移動通信端末１０の電話番号を送信することを要求する。位置情報送信部１０２は、位置情報要求部１０１の要求に対して、ネットワーク４０を介して選局情報送信装置２０に対する通信セッションの確立を要求し、通信セッション確立中あるいは確立後に当該位置情報と電話番号を送信する。ここで、位置情報とは、ＧＰＳ衛星からの受信信号や基地局から受信する制御信号等を利用して得られる移動体通信端末１０の所在位置を示す情報であり、Ｘ０は移動通信端末の位置する緯度、Ｙ０は移動通信端末の位置する経度を表している。
【００１４】
選局情報受信部１０３は、位置情報送信部１０２から送信される位置情報に基づいて選局情報送信装置２０において生成される選局情報を選局情報送信装置２０から受信するとともに、その選局情報を選局情報格納部１０７に格納する。ここで、選局情報は、移動通信端末１０の所在位置において受信可能な放送局を特定するためのチャンネル識別情報及び複数の候補周波数から構成されている。候補周波数とは、放送局から複数の放送用中継局を経由して送信される電波のうち移動通信端末１０の所在位置において受信可能なものの周波数を表している。図２に選局情報格納部１０７に格納された選局情報の構成図の一例を示す。図２の例によれば、移動通信端末１０において受信可能な放送局の選局情報として、チャンネル識別情報ｃｈ１のレコードが、ｎ個の候補周波数ｆ１１，・・・，ｆ１ｎとともに関連づけられて格納されている。
【００１５】
図１に戻って、受信局情報入力部１０４は、選局情報受信部１０３によって選局情報格納部１０７に格納された選局情報を参照し、図３に示すように、チャンネル識別情報を移動通信端末１０のディスプレイに一覧で表示する。また、ディスプレイに表示されたチャンネル識別情報は、ユーザによりキー操作等により選択入力できるようになっている。受信局情報入力部１０４は、ディスプレイにおいてユーザによって選択入力されたチャンネル識別情報を移動通信端末１０に内蔵されている放送受信用チューナー部１０５に対して出力する。再び図１に戻って、放送受信用チューナー部１０５は、受信局情報入力部１０４から出力されたチャンネル識別情報により受信する放送局を特定した後、選局情報格納部１０７を参照することにより当該特定された放送局の全ての候補周波数を取得し受信を開始する。例えば、図２のような選局情報が選局情報格納部１０７に格納されている場合において、受信局情報入力部１０４によりチャンネル識別情報ｃｈ１で特定される放送局が選択入力された場合は、候補周波数としてｆ１１，・・・，ｆ１ｎが取得される。なお、受信周波数としては、放送受信用チューナー部１０５が候補周波数をスキャンした結果得られた電波強度の最も強い周波数が選択される。これにより、天候等の気象条件が変化した場合でも、最適な周波数を選択して良好に受信することができる。放送受信用チューナー部１０５は、受信が終了後に受信された放送局の受信履歴に関する視聴情報を視聴情報格納部１０８に格納する。図４に視聴情報格納部１０８に格納された視聴情報の構成図の一例を示す。視聴情報格納部１０８には、放送受信用チューナー部１０５により受信された放送局のチャンネル識別情報と受信周波数に加えて、受信開始日時と受信終了日時と受信された番組の名称等の番組内容を特定するための受信番組情報とが関連づけて格納されている。
【００１６】
図１に戻って、視聴情報送信部１０６は、放送受信用チューナー部による放送の受信が終了後、選局情報送信装置２０に対して視聴情報格納部１０８に格納された受信開始日時と受信終了日時とチャンネル識別情報と受信周波数と受信番組情報とを含む視聴情報及び移動通信端末１０の電話番号を送信する。
【００１７】
選局情報送信装置は、移動通信端末において受信可能な放送局に関する選局情報を生成するための情報処理装置である。選局情報送信装置２０は、位置情報受信部２０１（位置情報受信手段）と、選局情報生成部２０２（選局情報生成手段）と、選局情報送信部２０３（選局情報送信手段）と、視聴情報受信部２０４（視聴情報受信手段）と、放送区域情報格納部２０５と、放送局情報格納部２０６と、集計情報格納部２０７とを備えて構成される。
【００１８】
位置情報受信部２０１は、移動通信端末１０から移動通信端末１０の位置情報（Ｘ０，Ｙ０）及び移動通信端末１０の電話番号を受信する。位置情報受信部２０１は、受信した位置情報と電話番号を選局情報生成部２０２に出力する。
【００１９】
選局情報生成部２０２は、移動通信端末１０の位置情報（Ｘ０，Ｙ０）に基づいて放送区域情報格納部２０５を参照し当該移動通信端末の位置する放送区域を特定する。ここで、放送区域とは、放送を受信する位置を特定するための細分化されたエリアを示すものである。具体的には、図５に示すように、放送区域情報格納部２０５には、下限緯度、上限緯度、下限経度、上限経度及び放送区域を特定するための放送区域特定情報が格納されている。選局情報生成部２０２は、放送区域情報格納部２０５を参照し、下限緯度≦Ｘ０＜上限緯度であって、かつ下限経度≦Ｙ０＜上限経度である条件を満たすようなレコードを検索し、前記条件を満たすレコードの放送区域特定情報を取得する。次に、図１に戻って、選局情報生成部２０２は、取得された放送区域特定情報に基づいて放送局情報格納部２０６を参照することにより、移動通信端末１０において受信可能な放送局に関する選局情報を生成する。具体的には、選局情報生成部２０２は、図６に示すような放送区域特定情報とその放送区域において受信可能な放送局のチャンネル識別情報とその放送を受信するためのｎ個の候補周波数とから構成されている放送局情報格納部２０６を参照し、放送区域特定情報が一致するレコードを抽出する。
ここで、候補周波数とは、放送局から複数の放送用中継局を経由して送信される電波のうち放送区域特定情報に特定される放送区域において受信可能なものの周波数を表している。図１に戻って、選局情報生成部２０２は、抽出された全てのレコードのチャンネル識別情報とそれぞれのチャネル識別情報に対応したｎ個の候補周波数から構成される選局情報を生成し、その選局情報と移動通信端末１０の電話番号を選局情報送信部２０３に出力する。
【００２０】
選局情報送信部２０３は、移動通信端末１０の電話番号を送信先として指定し、選局情報生成部２０２で生成されたチャンネル識別情報とそれぞれのチャネル識別情報に対応したｎ個の候補周波数から構成される選局情報を移動通信端末１０に送信する。
【００２１】
視聴情報受信部２０４は、移動通信端末１０から受信開始日時と受信終了日時とチャンネル識別情報と受信周波数と受信番組情報とから構成される視聴情報及び移動通信端末１０の電話番号を受信する。視聴情報受信部２０４は、受信された電話番号と視聴情報を集計情報格納部２０７に格納する。図７は集計情報格納部２０７に格納されたデータの構成図の一例であり、移動体端末１０の電話番号である受信端末電話番号と、受信開始日時と受信終了日時とチャンネル識別情報と受信番組情報とから構成される視聴情報が関連づけられて格納されている。
【００２２】
続いて、第１実施形態にかかる選局情報送信システムの動作について説明し、併せて、本発明の第１実施形態にかかる選局情報送信方法について説明する。図８は、選局情報送信システム３０の動作を示すシーケンス図である。
【００２３】
図８に示すように、移動通信端末１０の位置情報要求部１０１により選局情報送信装置２０に対する移動通信端末１０の位置情報の送信が要求される（ステップＳ０１）。次に、位置情報送信部１０２により、選局情報送信装置２０に対する通信セッションの確立が要求されるとともに、その通信セッションの確立中あるいは確立後に選局情報送信装置２０に対して移動通信端末１０の位置情報と電話番号が送信される（ステップＳ０２）。選局情報送信装置２０の位置情報受信部２０１によりその位置情報と電話番号が受信される（ステップＳ０３）。
【００２４】
選局情報送信装置２０の位置情報受信部２０１により移動通信端末１０の位置情報と電話番号が受信されると、それらが選局情報送信装置２０の選局情報生成部２０２に出力され、選局情報生成部２０２により放送区域情報格納部２０５が参照され、位置情報の示す位置が属する放送区域を特定する放送区域情報が取得される（ステップＳ０４）。次いで、選局情報生成部２０２により、特定された放送区域情報に基づいて放送局情報格納部２０６が参照され、移動通信端末１０において受信可能な放送局のチャンネル識別情報及びそれに対応したｎ個の候補周波数から構成される選局情報が生成される（ステップＳ０５）。次に、選局情報送信装置２０の選局情報送信部２０３により、選局情報生成部２０２により生成された選局情報が、移動通信端末１０の電話番号を送信先として指定することにより送信される（ステップＳ０６）。
【００２５】
選局情報送信装置２０の選局情報送信部２０３により送信された選局情報は、移動通信端末１０の選局情報受信部１０３により受信され、選局情報格納部１０７に格納される（ステップＳ０７）。移動通信端末１０の受信局情報入力部１０４により選局情報に含まれる全てのチャンネル識別情報がディスプレイに一覧で表示された後、移動通信端末１０のユーザに選択入力されたチャンネル識別情報が放送受信用チューナー部１０５に対して出力される（ステップＳ０８）。放送受信用チューナー部１０５により、選局情報格納部１０７が参照されることによりユーザが選択入力したチャンネル識別情報に対応するｎ個の候補周波数が取得され、候補周波数の全てがスキャンされた結果電波強度の最も強い周波数が受信周波数として選択され、受信が開始される（ステップＳ０９）。放送受信用チューナー部１０５による受信が終了後、受信された放送局のチャンネル識別情報と受信周波数に加えて、受信開始日時と受信終了日時と受信された番組の名称等の番組内容を特定するための受信番組情報から構成される視聴情報が視聴情報格納部１０８に格納される（ステップＳ１０）。
【００２６】
次に、移動通信端末１０の視聴情報送信部１０６により、視聴情報格納部１０８に格納された視聴情報と移動通信端末１０の電話番号が選局情報送信装置２０に対して送信される（ステップＳ１１）。選局情報送信装置２０の視聴情報受信部２０４により、移動通信端末１０から送信された視聴情報と移動通信端末１０の電話番号が受信され、集計情報格納部２０７に格納される（ステップＳ１２）。
【００２７】
以上説明した第１実施形態によれば、移動通信端末１０が選局情報送信装置２０に対して位置情報を送信することを要求し、選局情報送信装置２０がその結果受信された位置情報に基づいて移動通信端末１０で受信可能な選局情報を生成し移動通信端末１０に対して送信するので、移動通信端末１０は移動通信端末の位置する場所において受信可能な放送局の情報を受信することができる。選局情報に基づいて移動通信端末１０において受信する放送局を選択入力するので、移動通信端末１０においてその選択された放送局に関する選局情報を利用してチューニングすることにより、チューニング時の消費電力の軽減を図ることが可能となる。また、移動通信端末での選局情報の管理が不要となるので、移動性の高い移動通信端末においても放送番組の視聴の際の利便性を高めることが可能となる。
移動通信端末１０が選局情報送信装置２０に対して放送局の受信履歴を特定するための視聴情報を送信するので、選局情報送信装置２０において移動通信端末１０の受信履歴を収集し、例えば大きな移動通信端末のユーザの母集団における視聴率の計算に利用することができる。これにより、位置情報を利用した移動通信端末における放送番組の視聴の動向を例外なく知ることができるため、従来より利用価値が高い詳細な統計情報を得ることができる。
【００２８】
［第２実施形態］
次に、本発明の第２実施形態について説明する。図９は、本実施形態にかかる選局情報送信システムの構成図である。本実施形態における選局情報送信システムの基本的構成は、第１実施形態における選局情報送信システム３０の構成と同様であるので、各構成要素には同一の符合を付しその説明は省略すると共に、以下において第１実施形態との相違点について詳述する。
【００２９】
移動通信端末１０においては、上述した第１実施形態における位置情報送信部１０２を有しておらず、位置情報要求部１０１は、ネットワーク４０を介して選局情報送信装置２０に対する通信セッションの確立を要求するとともに移動通信端末１０の電話番号を送信する。この通信セッションの確立を要求する要求信号を受信したネットワーク４０を構成する機器（例えば、基地局や加入者階梯交換機や関門階梯交換機等で、図示せず）は、その要求信号に移動通信端末１０の位置情報を付加して選局情報送信装置２０に送信する。ここで、位置情報は、移動通信端末１０がネットワーク４０と接続する際に無線通信を行う基地局（図示せず）を特定する基地局識別情報で構成されている。
【００３０】
選局情報送信装置３０の位置情報受信部２０１は、移動通信端末１０の電話番号と位置情報を受信する。
【００３１】
選局情報送信装置２０の選局情報生成部２０２は、位置情報受信部２０１によって受信された基地局識別情報に基づいて放送局情報格納部２０６を参照することにより、移動通信端末１０において受信可能な放送局に関する選局情報を生成する。具体的には、放送局情報格納部２０６は、図１０に示すような基地局識別情報とその基地局がカバーするセルにおいて受信可能な放送局のチャンネル識別情報とその放送を受信するためのｎ個の候補周波数とから構成されている。選局情報生成部２０２は、放送局情報格納部２０６を参照し、基地局識別情報が一致するレコードを抽出する。ここで、候補周波数とは、放送局から複数の放送用中継局を経由して送信される電波のうち、基地局識別情報によって特定される基地局がカバーするセルにおいて受信可能なものの周波数を表している。図９に戻って、選局情報生成部２０２は、抽出された全てのレコードのチャンネル識別情報とそれぞれのチャネル識別情報に対応したｎ個の候補周波数から構成される選局情報を生成し、その選局情報と移動通信端末１０の電話番号を選局情報送信部２０３に出力する。
【００３２】
続いて、第２実施形態にかかる選局情報送信システムの動作について説明し、併せて、本発明の第２実施形態にかかる選局情報送信方法について説明する。以下、図１１を参照して本実施形態における選局情報送信システム３０の動作を説明する。図１１に示すステップＳ２５〜Ｓ３１の各処理は、第１実施形態において詳述したステップＳ０６〜Ｓ１２の各処理（図８参照）と、それぞれ同一であるので、第１実施形態とは異なるステップＳ２１〜Ｓ２４の処理について説明する。
【００３３】
図１１に示すように、移動通信端末１０の位置情報要求部１０１により、ネットワーク４０を介して選局情報送信装置２０に対する通信セッションの確立が要求されるとともに、移動通信端末１０の電話番号が送信される。（ステップＳ２１）。ネットワーク４０を構成する機器（例えば、基地局や加入者階梯交換機や関門階梯交換機等）により、その通信セッションの確立を要求する要求信号に位置情報が付加され、選局情報送信装置２０に対して送信される（ステップＳ２２）。選局情報送信装置２０の位置情報受信部２０１により、移動通信端末１０の電話番号と位置情報とともに通信セッションを要求する信号が受信され、その後通信セッションが確立される（ステップＳ２３）。
【００３４】
選局情報送信装置２０の位置情報受信部２０１により移動通信端末１０の位置情報と電話番号が受信されると、それらが選局情報送信装置２０の選局情報生成部２０２に出力され、選局情報生成部２０２により位置情報に基づいて放送局情報格納部２０６が参照され、移動通信端末１０において受信可能な放送局のチャンネル識別情報及びそれに対応したｎ個の候補周波数から構成される選局情報が生成される（ステップＳ２４）。
【００３５】
これにより、上記の第２実施形態においても、移動通信端末においてチューニング時の消費電力の軽減を図ることが可能となるとともに、移動性の高い移動通信端末においても放送番組の視聴の際の利便性を高めることが可能となる。また、位置情報を利用した移動通信端末における放送番組の視聴の動向を例外なく知ることができるため、従来より利用価値が高い詳細な統計情報を得ることができる。
【００３６】
上記第２実施形態にかかる選局情報送信システム３０においては、選局情報送信装置２０に対して送信する位置情報として基地局識別情報を用いていたが、これは、例えば、その基地局を収容する加入者交換機を特定する情報や、その基地局がカバーするセルを更に細分化した区域により移動通信端末１０の位置が特定されている場合は、その区域を特定する情報を位置情報として用いても良い。
【００３７】
上記第１実施形態および第２実施形態にかかる移動通信端末１０においては、放送の受信を終了したタイミングで視聴情報格納部１０７に格納されている視聴情報を選局情報送信装置２０に対して送信していたが、これは、タイマーを用いた一定周期のタイミング、あるいは、視聴情報が一定のデータ量を超えたタイミングで送信するようにしてもよい。これにより、放送の受信が集中するいわゆるゴールデンタイム等の時間帯における視聴情報の送受信の集中を防ぐことができるため、特定時間帯におけるネットワーク４０の輻輳を低減することができる。
【００３８】
上記第１実施形態および第２実施形態にかかる選局情報送信装置２０においては、チャンネル識別情報と候補周波数から構成されている選局情報を生成し、移動通信端末１０に送信していたが、これは、移動通信端末１０の電話番号が特定のものであることを条件として、当該チャンネル識別情報で識別される放送局の放送番組の内容紹介等の付加情報を追加してもよい。これにより、選局情報に付加価値の高い情報を付加することによって、放送を受信しようとしている移動通信端末のユーザに対してタイムリーで有益な情報を提供することができる。
【００３９】
上記第１実施形態および第２実施形態にかかる選局情報送信システム３０においては、移動通信端末１０を特定する情報として移動通信端末１０の電話番号を位置情報送信部１０２から位置情報受信部２０１に対して送信し、それを選局情報送信部２０３において選局情報の送信先として利用していたが、これは移動通信端末１０のユーザＩＤや機体番号やＩＣチップ番号等を移動通信端末１０に対する送信先を特定する情報として利用してもよい。
【００４０】
【発明の効果】
本発明の移動通信端末および選局情報送信装置によれば、移動通信端末が選局情報送信装置に対して位置情報を送信することを要求し、選局情報送信装置がその結果受信された位置情報に基づいて移動通信端末で受信可能な選局情報を生成し移動通信端末に対して送信するので、移動通信端末は移動通信端末の位置する場所において受信可能な放送局の情報を受信することができる。選局情報に基づいて移動通信端末において受信する放送局が選択入力されるので、移動通信端末においてその選択された放送局に関する選局情報を利用してチューニングすることにより、チューニング時の消費電力の軽減を図ることが可能となるとともに、移動通信端末での選局情報の管理が不要となるので、移動性の高い移動通信端末においても放送番組の視聴の際の利便性を高めることが可能となる。移動通信端末が選局情報送信装置に対して放送局の受信履歴を特定するための視聴情報を送信するので、選局情報送信装置において移動通信端末の受信履歴を収集し、例えば大きな移動通信端末のユーザの母集団における視聴率の計算に利用することができる。その結果、移動通信端末における放送番組の視聴の動向を例外なく知ることができるため、従来より利用価値が高い詳細な統計情報を得ることができる。
【図面の簡単な説明】
【図１】第１実施形態における選局情報送信システムの構成図である。
【図２】第１実施形態における選局情報格納部に格納されたデータの構成図である。
【図３】第１実施形態における受信局情報入力部により表示される画面の構成図である。
【図４】第１実施形態における視聴情報格納部に格納されたデータの構成図である。
【図５】第１実施形態における放送区域情報格納部に格納されたデータの構成図である。
【図６】第１実施形態における放送局情報格納部に格納されたデータの構成図である。
【図７】第１実施形態における集計情報格納部に格納されたデータの構成図である。
【図８】第１実施形態における選局情報送信システムの動作を示すフローチャートである。
【図９】第２実施形態における選局情報送信システムの構成図である。
【図１０】第２実施形態における放送局情報格納部に格納されたデータの構成図である。
【図１１】第２実施形態における選局情報送信システムの動作を示すフローチャートである。
【符号の説明】
１０…移動通信端末、１０１…位置情報要求部、１０２…選局情報受信部、１０３…受信局情報入力部、１０４…放送受信用チューナー部、１０５…視聴情報送信部、１０６…選局情報格納部、１０７…視聴情報格納部、２０…選局情報送信装置、２０１…位置情報受信部、２０２…選局情報生成部、２０３…選局情報送信部、２０４…視聴情報受信部、２０５…放送区域情報格納部、２０６…放送局情報格納部、２０７…集計情報格納部、３０…選局情報送信システム、４０…ネットワーク。
【図１】
2004266627.tif 000003
【図２】
2004266627.tif 000004
【図３】
2004266627.tif 000005
【図４】
2004266627.tif 000006
【図５】
2004266627.tif 000007
【図６】
2004266627.tif 000008
【図７】
2004266627.tif 000009
【図８】
2004266627.tif 000010
【図９】
2004266627.tif 000011
【図１０】
2004266627.tif 000012
【図１１】
2004266627.tif 000013